(57)【要約】【課題】ユーザーが自分で背骨牽引術を行うことが可能であり、構造が簡単化され、操作が便利となり、安全性がより良い背骨牽引装置を提供する。【解決手段】台座１１を有する本体１を備え、台座の天部にもたれ部１２が設けられており、もたれ部は、互いに連接する凹段１２ａと、凸段１２ｂと、を有し、台座は底部１１ａを有し、底部は矩形を呈する筐体であり、底部の上方にストレートロッド１１ｂが二つ設けられており、二つのストレートロッドは、その一端がそれぞれ底部と連接し、その天部が上ロッド１１ｃと連接し、もたれ部は複数のロッド１２ｃを有し、ロッドは、一端が台座の上ロッドと連接し、他端が底部の上ロッドから遠く離れた箇所と連接し、互いに揃うことにより、これらのロッドの上面に、上記凹段および凸段を構成する。【選択図】図１
0003223830.tif 000002
【実用新案登録請求の範囲】
【請求項１】
台座を有する本体を備え、前記台座の天部にもたれ部が設けられており、前記もたれ部は、互いに連接する、凹段と、凸段と、を有することを特徴とする背骨牽引装置。
【請求項２】
前記台座は底部を有し、前記底部は矩形を呈する筐体であり、前記底部の上方にストレートロッドが二つ設けられており、前記二つのストレートロッドは、その一端がそれぞれ前記底部と連接し、その天部が上ロッドと連接し、前記もたれ部は複数のロッドを有し、前記ロッドは、一端が前記台座の前記上ロッドと連接し、他端が前記底部の前記上ロッドから遠く離れた箇所と連接し、互いに揃うことにより、これらの前記ロッドの上面は、前記凹段および前記凸段を構成することを特徴とする、請求項１に記載の背骨牽引装置。
【請求項３】
前記もたれ部はパッドを有し、前記パッドは、前記もたれ部の上面に結合されており、柔軟な材料を採用することを特徴とする、請求項１に記載の背骨牽引装置。
【請求項４】
前記もたれ部の天端にマクラが設けられていることを特徴とする、請求項１に記載の背骨牽引装置。
【請求項５】
前記もたれ部の両側には、位置決め部材がそれぞれ設けられていることを特徴とする、請求項１に記載の背骨牽引装置。
【請求項６】
前記もたれ部の両側に握り部材がそれぞれ設けられており、前記二つの握り部材は、前記二つの位置決め部材の下方に位置することを特徴とする、請求項５に記載の背骨牽引装置。
【請求項７】
前記本体にステップ部が設けられており、前記ステップ部は前記もたれ部の手前に位置することを特徴とする、請求項１に記載の背骨牽引装置。
【請求項８】
更に、締付ベルトを備え、前記締付ベルトは、所定の長さを有し、その両端に、第１結合部と、第２結合部とが設けられていることを特徴とする、請求項１から７の何れか１項に記載の背骨牽引装置。
【請求項９】
前記第１結合部は、前記第２結合部に脱着可能に結合されていることを特徴とする、請求項８に記載の背骨牽引装置。
【請求項１０】
前記締付ベルトは連接部を有し、前記連接部に補助ベルトが連接されており、前記補助ベルトの両端には、第３結合部と、第４結合部とが設けられていることを特徴とする、請求項８に記載の背骨牽引装置。
【考案の詳細な説明】
【技術分野】
【０００１】
本考案は、ヘルスケア機器に関し、特に、骨棘の患者は自分で操作することが可能であり、患者の骨棘の症状を緩和可能な背骨牽引装置に関するものである。
【背景技術】
【０００２】
骨棘は、背骨が退化する過程中によく発生する現象であり、年齢の増加に従って、背骨の関節の間の軟骨の水分および弾力が徐々に失われて、背骨の関節面がより大きい圧力を受けることにより、関節のエッジの骨が過形成して、骨棘を形成する。骨棘が脊髄または神経を圧迫すると、患者の体は、こわばり、痛み、麻痺、筋力低下などの症状を発生する。
【０００３】
背骨牽引術は、骨棘の症状を緩和可能な治療方式である。患者は、周知の背骨牽引装置により背骨牽引術を行うことが一般的である。このような背骨牽引装置は本体を有する。患者は前記本体に横になることができる。前記本体の両端には、第１固定部と、第２固定部とがそれぞれ設けられている。前記第１固定部に、患者のヘッド部または腰部を固定することが可能である。前記第２固定部に、患者の足部を固定することが可能である。このような背骨牽引装置を利用するときに、前記第１固定部と前記第２固定部とは、前記本体に沿って互いに離れる方向へ移動する。これにより、患者の背骨の各関節の隙間を増加することができ、背骨の一部の血行を増加することが可能であり、関節の負荷を減少することもできる。これにより、患者の骨棘の症状を緩和する目的を達成することができる。このような背骨牽引装置は、例えば中華民国実用新案登録第５１７５８７号の「人体引張用スポーツ器具」が提案された。
【０００４】
しかし、このような背骨牽引装置は、リハビリテーション課で使用する機器であり、医療スタッフの補助により操作することが必要なため、患者はリハビリテーション課へ定期的に行って治療を受けることが必要である。患者は、仕事が忙しいため、ハビリテーション課へ定期的に行かないと、骨棘の症状が再発する可能性があり、更に、悪化して関節が破壊される虞がある。このため、患者は、都合により、自分で操作することができ、背骨牽引術による治療を行うことが可能な背骨牽引装置の開発が強く要請されている。
【先行技術文献】
【特許文献】
【０００５】
【特許文献１】中華民国実用新案登録第５１７５８７号公報
【考案の概要】
【考案が解決しようとする課題】
【０００６】
本考案の主な目的は、ユーザーが自分で背骨牽引術を行うことが可能な背骨牽引装置を提供することにある。
【０００７】
本考案の次の目的は、構造が簡単化され、操作が便利となる背骨牽引装置を提供することにある。
【０００８】
本考案の別の目的は、安全性がより良い背骨牽引装置を提供することにある。
【課題を解決するための手段】
【０００９】
本考案に係る背骨牽引装置は、台座を有する本体を備え、台座の天部にもたれ部が設けられており、もたれ部は、互いに連接する凹段と、凸段と、を有することを特徴とする。
【００１０】
本考案に係る背骨牽引装置は、その構造が簡単であり、ユーザーは自分で操作することができ、ユーザーは、もたれ部に背部をもたれ、又は締付ベルトにより体を固定すると、重力による牽引により、背骨の各関節の隙間を増加することができる。そうすると、本考案に係る背骨牽引装置によれば、ユーザーは、自分で操作することができ、自身のスケジュールに合わせて、背骨牽引術を行うことができる。
【００１１】
本考案に係る背骨牽引装置によると、上記台座は底部を有し、底部は矩形を呈する筐体であり、底部の上方にストレートロッドが二つ設けられており、二つのストレートロッドは、その一端がそれぞれ底部と連接し、その天部が上ロッドと連接し、もたれ部は複数のロッドを有し、ロッドは、一端が台座の上ロッドと連接し、他端が底部の上ロッドから遠く離れた箇所と連接し、互いに揃うことにより、これらのロッドの上面は、凹段および凸段を構成することを特徴とする。これにより、もたれ部は、支持枠を形成し、台座に支持され、ユーザーの上半身を高めるという効果がある。
【００１２】
本考案に係る背骨牽引装置によると、上記もたれ部はパッドを有し、パッドは、もたれ部の上面に結合されており、柔軟な材料を採用することを特徴とする。これにより、ユーザーは快適に横になることができるという効果がある。
【００１３】
本考案に係る背骨牽引装置によると、上記もたれ部の天端にマクラが設けられていることを特徴とする。これにより、ユーザーのヘッド部を高めることができ、快適度を向上するという効果がある。
【００１４】
本考案に係る背骨牽引装置によると、上記もたれ部の両側には、位置決め部材がそれぞれ設けられていることを特徴とする。これにより、ユーザーは、二つの位置決め部材を握ることにより、その上半身をもたれ部に位置決めるという効果がある。
【００１５】
本考案に係る背骨牽引装置によると、上記もたれ部の両側に握り部材がそれぞれ設けられており、二つの握り部材は、二つの位置決め部材の下方に位置することを特徴とする。これにより、ユーザーは、本体に登るときに、二つの握り部材を握ることにより、本体から落ちることを防止することができ、安全性を増加するという効果がある。
【００１６】
本考案に係る背骨牽引装置によると、上記本体にステップ部が設けられており、ステップ部はもたれ部の手前に位置することを特徴とする。これにより、ユーザーは、ステップ部を踏んで、本体に登ることができ、利用は便利となる。
【００１７】
本考案に係る背骨牽引装置によると、更に、締付ベルトを備え、締付ベルトは、所定の長さを有し、その両端に、第１結合部と、第２結合部とが設けられていることを特徴とする。これにより、ユーザーの上半身をもたれ部に安定的に固定することができるという効果がある。
【００１８】
本考案に係る背骨牽引装置によると、上記第１結合部は、第２結合部に脱着可能に結合されていることを特徴とする。これにより、締付ベルトは、ユーザーの体型に合わせて調整することができ、ユーザーの上半身を快適的に固定することができるという効果がある。
【００１９】
本考案に係る背骨牽引装置によると、上記締付ベルトは連接部を有し、連接部に補助ベルトが連接されており、補助ベルトの両端には、第３結合部と、第４結合部とが設けられていることを特徴とする。これにより、補助ベルトは、追加の位置決めを提供することができ、締付ベルトをもたれ部の両側に安定的に位置決めることができるという効果がある。
【考案の効果】
【００２０】
本考案に係る背骨牽引装置によれば、次のような効果がある。
（１）その構造が簡単であり、ユーザーは自分で操作することができ、ユーザーは、もたれ部に背部をもたれ、又は締付ベルトにより体を固定すると、重力による牽引により、背骨の各関節の隙間を増加することができる。
【００２１】
（２）自身のスケジュールに合わせて、背骨牽引術を行うことができる。
【図面の簡単な説明】
【００２２】
【図１】本考案の一実施形態に係る背骨牽引装置を示す分解斜視図である。
【図２】本考案の一実施形態に係る背骨牽引装置に締付ベルトを取り付けた状態を示す側面図である。
【図３】本考案の一実施形態に係る背骨牽引装置の使用状態を示す図である。
【考案を実施するための形態】
【００２３】
以下、本考案の実施の形態を図面に基づいて説明する。
【００２４】
本考案の明細書において、方向性またはそれに近似する用語（例えば「前」、「後」、「左」、「右」、「上（天）」、「下（底）」、「内」、「外」、「側面」など）は、主に、図面における方向を参考し、各方向性またはそれに近似する用語は、説明の補助および本考案の各実施形態の理解のために使用されるだけであり、本考案はこれに限定されない。
【００２５】
本考案の明細書において、素子および部材に使用される「一つ」または「一個」の数量用語は、使用を便利にし、且つ本考案の範囲の通常的な意義を提供するためのものだけである。本考案において、一個または少なくとも一個を含むと解読すべきであり、且つ明らかに他の意味を意味しない限り、単一の概念も複数の状況を含む。
【００２６】
本考案の明細書において、「結合」、「組合せ」又は「組付け」などに近似する用語は、主に、連接した後、部材を破壊せずに分離することが可能であり、又は連接した後、部材が分離不能となるなどの形態を含み、本技術分野において、通常の知識を持つ者は、連接しようとする部材の材質または組立ニーズによって選択することができる。
【００２７】
図１及び図２を参照する。本考案の一実施形態に係る背骨牽引装置は、本体１を備える。本体１により、ユーザーは横になることが可能である。
【００２８】
詳細的には、本体１は台座１１を有する。台座１１は、ベースでもいいし、フレームでもよい。本実施形態では、台座１１がフレームであることを例にして説明する。詳細的には、台座１１は、矩形を呈する筐体である底部１１ａを有するが、本考案はこれに限定されない。底部１１ａの上方にストレートロッド１１ｂが二つ設けられている。二つのストレートロッド１１ｂの一端は、それぞれ底部１１ａと連接する。二つのストレートロッド１１ｂの天部は、上ロッド１１ｃと連接する。これにより、台座１１は、その部材が立体的な空間において位置決められ可能なフレームとなる。
【００２９】
台座１１の天部はもたれ部１２を有する。もたれ部１２は、支持効果を持ち、例えば背当たり又は支持枠などであるが、本考案はこれに限定されない。もたれ部１２は、互いに連接する凹段１２ａと、凸段１２ｂと、を有する。これにより、もたれ部１２の形状は背部の輪郭に合い、そしてユーザーの上半身は、もたれ部１２にもたれることができ、もたれ部１２に支持されて高められる。本実施形態では、もたれ部１２が支持枠であることを例にして説明する。例えば、もたれ部１２は複数のロッド１２ｃを有し、これらのロッド１２ｃは、一端が台座１１の上ロッド１１ｃと連接し、他端が底部１１ａの上ロッド１１ｃから遠く離れた箇所と連接する。これらのロッド１２ｃは、互いに揃うことにより、その上面が凹段１２ａと凸段１２ｂとを構成する。もたれ部１２はパッド１３を有することが好ましい。パッド１３は、もたれ部１２の上面に結合されており、柔軟な材料（例えばラテックス、ゴム、ＰＵ、又はＥＶＡなど）を採用するが、本考案はこれに限定されない。これにより、ユーザーは、パッド１３に快適にもたれることができる。必要があれば、もたれ部１２の天端にマクラ１４が設けられていてもよい。マクラ１４により、ユーザーのヘッド部が高められ、快適度を向上するという効果がある。
【００３０】
もたれ部１２の両側には、位置決め部材１５がそれぞれ設けられていることが好ましい。これにより、ユーザーの上半身を位置決めることができる。例えば、位置決め部材１５は、ハンドルでもいいし、リングでもよい。ユーザーは、位置決め部材１５を握ることにより、その上半身をもたれ部１２に固定することができる。本実施形態に係る二つの位置決め部材１５は、それぞれもたれ部１２の両側に位置するロッド１２ｃである。もたれ部１２の両側には、握り部材１６がそれぞれ設けられている。二つの握り部材１６は、それぞれ二つの位置決め部材１５の下方に位置する。握り部材１６は、滑止めスリーブ、ハンドル、又は手摺りなどである。本実施形態に係る二つの握り部材１６は、もたれ部１２の両側にあるロッド１２ｃを覆う滑止めスリーブであることを例にして説明するが、本考案はこれに限定されない。これにより、ユーザーは、本体１に登るときに、二つの握り部材１６を握ることにより、本体１から落ちることを防止することができ、安全性を向上することができる。
【００３１】
本体１は、更に、ステップ部１７を有する。ステップ部１７は、もたれ部１２の手前に位置し、例えばステップチェア、又ははしごなどである。ステップ部１７により、ユーザーは本体１に便利に登ることができる。本実施形態に係るステップ部１７は、縦方向に沿って伸びる二つのサイドフレーム１７ａを有する。二つのサイドフレーム１７ａの間には、複数の横ロッド１７ｂが連接されているが、本考案はこれに限定されない。そうすると、ステップ部１７ははしごであり、ユーザーは、これらの横ロッド１７ｂを踏んで本体１に登ることができる。
【００３２】
本考案に係る背骨牽引装置は、締付ベルト２を備えることが好ましい。締付ベルト２は、所定の長さを持ち、その両端が本体１のもたれ部１２の両側に位置決められている。これにより、ユーザーの上半身をもたれ部１２に固定することができる。本実施形態に係る二つの位置決め部材１５は、もたれ部１２の両側にあるロッド１２ｃに設けられているリングである。二つの位置決め部材１５はそれぞれ穴Ｈを有する。締付ベルト２の両端は、それぞれ二つの穴Ｈを挿通して、二つの位置決め部材１５を回って位置決められることができるが、本考案はこれに限定されない。締付ベルト２の両端は脱着可能に互いに結合することが好ましい。これにより、締付ベルト２は、ユーザーの体型に合わせて調整することができ、ユーザーは、その上半身を快適に固定することができる。締付ベルト２の両端は、例えば第１結合部２１と、第２結合部２２と、をそれぞれ有するが、本考案はこれに限定されない。第１結合部２１と第２結合部２２を、マジックテープ(登録商標)で構成することにより、締付ベルト２の両端は、迅速に結合し、又は分離することができる。或いは、第１結合部２１をベルトヘッドとし、第２結合部２２に貫通孔を複数設けることにより、第１結合部２１と第２結合部２２を安定的に結合することができるが、本考案はこれらに限定されない。そうすると、締付ベルト２は、閉環を形成して、二つの位置決め部材１５から脱出不能となり、二つの位置決め部材１５に安定的に位置決めることができる。
【００３３】
他の実施形態では、締付ベルト２は連接部２３を有することが好ましい。連接部２３は補助ベルト２４と連接する。補助ベルト２４と連接部２３は、接着剤やステッチ(縫い目)により繋ぐ。本実施形態では、補助ベルト２４と連接部２３をステッチで繋いでいるが、本考案はこれに限定されない。同じように、補助ベルト２４の両端は、二つの位置決め部材１５に位置決められ、又は脱着可能に互いに結合する。本実施形態に係る補助ベルト２４の両端は、締付ベルト２の両端と共に、二つの位置決め部材１５に設けられている穴Ｈを挿通する。補助ベルト２４の両端は、第３結合部２５と、第４結合部２６と、をそれぞれ有する。第３結合部２５と第４結合部２６との構造は、それぞれ第１結合部２１と第２結合部２２の構造と同じ、又はこれらの構造に類似し、同じ結合効果を持っているので、詳細な説明を省略する。これにより、補助ベルト２４も閉環を形成することにより、補助ベルト２４は、二つの位置決め部材１５から脱出不能となり、二つの位置決め部材１５に安定的に位置決めることができる。
【００３４】
図３を参照する。上記の構造によれば、本考案に係る背骨牽引装置を利用するときに、ユーザーは、ステップ部１７を踏んで本体１に登って、その上半身をもたれ部１２のパッド１３にもたれ、又は締付ベルト２を二つの位置決め部材１５に挿通して、締付ベルト２の両端を固定し、又は互いに結合すると、締付ベルト２により、ユーザーの上半身をもたれ部１２に固定することができる。このとき、ユーザーは、両足をステップ部１７から離すと、その下半身がぶら下がっているようになる。これにより、ユーザーの下半身は重力による牽引を受けて、縦方向に沿う引張力を発生することにより、ユーザーの背骨が引っ張られて、背骨の各関節の隙間を増加することができ、背骨の一部の血行を良くにし、関節の負荷を減少することができる。そうすると、骨棘による症状を緩和することができる。
【００３５】
本考案に係る背骨牽引装置によれば、その構造が簡単であり、ユーザーは自分で操作することができ、ユーザーは、もたれ部に背部をもたれ、又は締付ベルトにより体を固定すると、重力による牽引により、背骨の各関節の隙間を増加することができる。そうすると、本考案に係る背骨牽引装置によれば、ユーザーは、自分で操作することができ、自身のスケジュールに合わせて、背骨牽引術を行うことができる。
【００３６】
以上のように、本考案の特定の例を参照して説明したが、それらの例は、説明のためだけのものであり、本考案を限定するものではなく、この分野に通常の知識を有する者には、本考案の要旨および特許請求の範囲を逸脱することなく、ここで開示された実施例に変更、追加、または、削除を施してもよいことがわかる。
【符号の説明】
【００３７】
１      本体
１１    台座
１１ａ  底部
１１ｂ  ストレートロッド
１１ｃ  上ロッド
１２    もたれ部
１２ａ  凹段
１２ｂ  凸段
１２ｃ  ロッド
１３    パッド
１４    マクラ
１５    位置決め部材
１６    握り部材
１７    ステップ部
１７ａ  サイドフレーム
１７ｂ  横ロッド
２      締付ベルト
２１    第１結合部
２２    第２結合部
２３    連接部
２４    補助ベルト
２５    第３結合部
２６    第４結合部
Ｈ      穴
【図１】
0003223830.tif 000003
【図２】
0003223830.tif 000004
【図３】
0003223830.tif 000005